(57)【特許請求の範囲】
【請求項１】
対向する短辺及び対向する長辺を有するベッドフレームであって、ベッドフレームの周り及び底部に複数の柔軟な布が結合して設けられ、二つの短辺側の布の中央位置に複数の結合部が設けられている、ベッドフレームと、
対向する短辺及び対向する長辺を有し、矩形を呈する二つのシートであって、ベッドフレームの二つの短辺側の布に形成した複数の結合部に対応するように二つのシートの短辺側に複数の結合部がそれぞれ設けられているとともに、ベッドフレームの二つの長辺側の布に各シートの一つの長辺がそれぞれ外れないように係合される、二つのシートと、
ベッドフレーム内で底を形成する硬い可動床板であって、シートがベッドフレームの二つの長辺側の布に貼付された状態において、ベッドフレーム内の底部の布の上に置くことができる可動床板と、を備え、
より浅い第２ベース層を設定する際に、先ず、二つのシートの長辺のジッパを継ぎ合わせるとともに、二つのシートの短辺側の結合部とベッドフレームの短辺側の布に設けた結合部とを結合してベッドフレームの中央位置に第２ベース層を形成し、該第２ベース層の上に可動床板を置いて、可動床板の位置を深いベース層から浅いベース層に高くできることを特徴とする、
幼児用二層式ベット本体装置。
【請求項２】
前記二つのシートが布で作製され、該二つのシートの対向の長辺側にジッパが設けられたことを特徴とする、請求項１に記載の幼児用二層式ベット本体装置。
【請求項３】
前記二つのシートのジッパが設けられた長辺側の内縁には、前記ベッドフレームの二つの長辺側の布に設けた複数の接着テープと接着可能な複数の接着テープが設けられたことを特徴とする、請求項２に記載の幼児用二層式ベット本体装置。
【請求項４】
前記ベッドフレームの角連結部には、ボールヘッドを有するレバーが枢着されたことを特徴とする、請求項１に記載の幼児用二層式ベット本体装置。
【発明の詳細な説明】
【技術分野】
【０００１】
本発明は、床板の高さの位置を調整できる幼児用二層式ベット本体装置に係り、特に、幼児のいる家庭や幼児園、又は類似場所に適合する幼児用二層式ベット本体装置に関するものである。
【背景技術】
【０００２】
「ベビーベッド」は、その名の通りベビーに使われるものである。
従来のベビーベッドは、一般にベッド周縁の囲いを高く設けたベッド本体を有し、ベビーまたは幼い子供がベビーベッド内に睡眠または遊ぶ時に、囲いを登り超え転落されることはないようにする。
該従来のベビーベッドは、幼児が囲いを登り超え転落される恐れを防止する機能があるが、ベビーをベッド本体に入れる、又は出そうとする大人にとって、ベッド周縁の囲いがあまりにも高いため、大人は、ベビーをベッド本体にスムーズに入れる、又は出そうとするときに、腰の大幅な曲げ動作をしなければならなく、該大幅の曲げ動作が、年上の老人にはもちろん、若者や丈夫な大人にとっても疲れる動作である。また、不意に幼い且つ弱い子供に損傷を与える事態もあり得る。
【発明の開示】
【発明が解決しようとする課題】
【０００３】
前記従来のベビーベッドの欠点を解決するため、本願の発明者は、以前に「着脱可能な二層式ベビーベッド構造」を出願して特許された。該発明は、より奥深い親ベッドと該親ベッドよりも深さの浅いサブベッドとを備え、ベビーを置くための該サブベッドが該親ベッドの上方の開口に着脱可能に設置された着脱可能な二層式ベビーベッド構造であって、該サブベッド本体は、柔軟な材料より作製され、サブベッドの上方の開口周縁には、サブベッドを展開して組み立てるように、複数の周縁パイプをその中に入れるための複数段のライナと、フックと一部の周縁パイプを該支持部にそれぞれ入れるように、複数本のスティッチシームで複数の支持部が調節可能に区画された掛け編み帯とを備えた複数の調節可能なフックセットとが設けられ、これらの調節可能なフックセットのフックは、前記親ベッドの上方の開口周縁に掛けられ、前記サブベッドを前記親ベッドの上方に取付けたものである。
【０００４】
このような「着脱可能な二層式ベビーベッド構造」は、ベビーをベッド本体に入れようとするとき、大幅の曲げ動作が必要である欠点を有効に改善できるが、その構造が複雑且つコスト高く、同時にベビーベッドを収める時に、親ベッドを収めるためサブベッドを持ち出し、取外してから親ベッド内に置き入れなければならない。
【０００５】
これを鑑み、本発明は、簡単な構造によりコスト低下させるだけではなく、収納時に、別に取外す必要がない幼児用二層式ベット本体装置の提供を期するため、専念な観察かつ研究をし、さらに学術理論の運用に合せ、合理的に設計且つ組み立てして消費者に提供するためになされたものである。
【課題を解決するための手段】
【０００６】
本発明の主な目的は、構造が簡易で且つコストを有効に低下させる幼児用二層式ベット本体装置を提供することにある。
【０００７】
本発明の次の目的は、収納便利及び床板の高さの位置を調整し易い幼児用二層式ベット本体装置を提供することにある。
【０００８】
前記目的を達成するために、本発明は、その周り及び底部に柔軟な布が結合され、折り畳み可能なベッドフレームを設け、該ベッドフレームには折り畳み式の床板が設けられ、布の中央位置の対向側にシートが連接され、該二つのシートの周縁には結合部が設けられることにより、ベッドフレームを展開してベット本体が形成されるときに、二つのシートが結合するか否かのことにより、床板の高さを調節できる幼児用二層式ベット本体装置を形成する。
【０００９】
すなわち本願の第１発明は、対向する短辺及び対向する長辺を有するベッドフレームであって、ベッドフレームの周り及び底部に複数の柔軟な布が結合して設けられ、二つの短辺側の布の中央位置に複数の結合部が設けられている、ベッドフレームと、対向する短辺及び対向する長辺を有し、矩形を呈する二つのシートであって、ベッドフレームの二つの短辺側の布に形成した複数の結合部に対応するように二つのシートの短辺側に複数の結合部がそれぞれ設けられているとともに、ベッドフレームの二つの長辺側の布に各シートの一つの長辺がそれぞれ外れないように係合される、二つのシートと、ベッドフレーム内で底を形成する硬い可動床板であって、シートがベッドフレームの二つの長辺側の布に貼付された状態において、ベッドフレーム内の底部の布の上に置くことができる可動床板と、を備え、より浅い第２ベース層を設定する際に、先ず、二つのシートの長辺のジッパを継ぎ合わせるとともに、二つのシートの短辺側の結合部とベッドフレームの短辺側の布に設けた結合部とを結合してベッドフレームの中央位置に第２ベース層を形成し、該第２ベース層の上に可動床板を置いて、可動床板の位置を深いベース層から浅いベース層に高くできることを特徴とする、幼児用二層式ベット本体装置を提供する。
本願の第２発明は、前記二つのシートが布で作製され、該二つのシートの対向の長辺側にジッパが設けられたことを特徴とする、前記第１発明に記載の幼児用二層式ベット本体装置を提供する。
本願の第３発明は、前記二つのシートのジッパが設けられた長辺側の内縁には、前記ベッドフレームの二つの長辺側の布に設けた複数の接着テープと接着可能な複数の接着テープが設けられたことを特徴とする、前記第２発明に記載の幼児用二層式ベット本体装置を提供する。
本願の第４発明は、前記ベッドフレームの角連結部には、ボールヘッドを有するレバーが枢着されたことを特徴とする、前記第１発明に記載の幼児用二層式ベット本体装置を提供する。
【発明の効果】
【００１０】
本発明は以下のような利点がある。
(１)簡単な構造により、ベビーベッドのベース層が使用者の思うままに適当な高さまでに調節でき、ベビーを入れ又は出し易くするだけではなく、コストを大幅に低減できる。
(２)二つのシートでベビーベッドの中央の適当な高さまでに結合させるとともに、シートの周縁に設置された結合部及びジッパの係合や分離により、ベビーベッドのより深いベース層を深さの浅い第２ベース層に有効に上昇できる。
(３)従来のベビーベッドが床底の高さを高くしようとする際、別にサブベッドを買う必要があり、更に、収納する時、先にサブベッドを収めて親ベッド内に入れてから収納させる必要があったが、本発明ではこのような不便や欠点を改善することができる。
【００１１】
本発明の特徴及び具体的な実施例は、添え付き図面を合せる詳細な説明において一層の認識及び了解できる。
【発明を実施するための最良の形態】
【００１２】
図１〜図５を参照して説明する。
本発明に係るベビーベッド１は、折り畳み可能なベッドフレーム１０を設けており、該ベッドフレーム１０の周り及び底部に共に柔軟な布１１が結合され、且つ、該ベビーベッド１には折り畳み式でかつ比較的に硬い床板が設けられるとともに、該ベビーベッド１の長辺の両対向側の布１１の中央位置にシート１２、１３がそれぞれ結合されている。
また、該布１１の二つの長辺側の底部には複数の接着テープ１１１が設けられ、該ベビーベッド１の短辺側の両対向側の布１１の中央位置に複数の結合部１１２が設けられている。
また、該二つのシート１２、１３の二つの短辺側の結合部１１２に対応する位置には、結合部１２１、１３１が設けられ、且つ、二つのシート１２、１３の対向する長辺側には、結合用のジッパ１２２、１３２が設けられている。
該ジッパ１２２、１３２の内側には、接着テープ１１１が設けられた対向位置において、対応する接着テープ１２３、１３３が同様に設けられる。
【００１３】
出産したばかりのベビーや座ることが尚できない幼児が使用するときは、先ず、二つのシート１２、１３の長辺側のジッパ１２２、１３２を継ぎ合せて閉めるとともに、二つのシート１２、１３の二つの短辺側の結合部１２１、１３１とベビーベッド１の二つの短辺側の布１１の結合部１１２を係合し、ベビーベッド１の中央位置に第２ベース層を形成する。さらに、可動床板１４を第２ベース層上に置き、図３に示すように、床板１４の位置を高くして（元々奥深く置いたベース層から深さの浅い第２ベース層になる）、ベビーをベビーベッド１に入れたり又は出し易くするようにし、自己傷害やベビーに危なくするような大幅な腰曲げの危険動作の必要がなくなる。
【００１４】
ベビーが徐々に成長すると、第２ベース層の高さが、行き着き滑りや座れるようになる子供にとって、危険にされされてしまう。
この際には、図４に示すように、可動床板１４を取外す。
その後、第２ベース層の両側の結合部１２１、１３１と布１１の結合部１１２を分離させる。
さらに、第２ベース層の中央のジッパ１２２、１３２を開き、第２ベース層を二つのシート１２、１３に分離させる。該二つのシート１２、１３は、さらに、複数の接着テープ１２３、１３３を、これと対応する布１１の底部の接着テープ１１１と接着して、該二つのシート１２、１３をベビーベッド１の両側の布１１上に貼付させる。
さらに、可動床板１４をベビーベッド１の内に入れておき、ベビーベッド１の深さをより深くさせ、行き着き滑りや座れるようになる子供を入れた後も、ベビーベッド１が安全な遊ぶ空間になる。
【００１５】
また、ベッドフレーム１０を折り畳み、収納する必要がある場合は、図５に示すように、該ベッドフレーム１０の角連結部１０１の両端には、ボールヘッド１０２を有するレバーがそれそれ枢着され、ボールヘッド１０２が回動する時に、角連結部１０１が隙間を発生することはないため、指が挟まれ怪我することを防止できる。
【００１６】
前記に開示された構成は、単に本発明の好ましい実施例に過ぎなく、本発明の特徴を局限するものではなく、いずれの当該分野における通常の知識を有する専門家が本発明の分野の中で、適当に変換や修飾などを実施できるが、それらの実施のことが本発明の請求範囲内に含まれるべきことは言うまでもないことである。
【図面の簡単な説明】
【００１７】
【図１】本発明による実施例の斜視組立図である。
【図２】本発明による実施例の部品分解図である。
【図３】本発明による実施例の使用状態を示す側面図である。
【図４】本発明による実施例の他の使用状態を示す側面図である。
【図５】本発明による実施例を示す部分拡大図である。
【符号の説明】
【００１８】
１・・・・・・・・ベビーベッド
１０・・・・・・・ベッドフレーム
１１・・・・・・・布
１２、１３・・・・シート
１１１・・・・・・接着テープ
１１２・・・・・・結合部
１２１、１３１・・結合部
１２２、１３２・・ジッパ
１２３、１３３・・接着テープ
１４・・・・・・・可動床板
１０１・・・・・・角連結部
１０２・・・・・・ボールヘッド
【図１】
0004648262.tif 000002
【図２】
0004648262.tif 000003
【図３】
0004648262.tif 000004
【図４】
0004648262.tif 000005
【図５】
0004648262.tif 000006